(57)【要約】【課題】電源においてより省電力化が可能な技術を提供すること。【解決手段】電源システム１００は、スイッチング電源２０と、交流入力ラインＬｉｎ上においてスイッチング電源２０の前段に設けられ、リレー駆動信号Ｓｄの入力に応じてスイッチング電源２０の交流電源ＡＣへの接続状態を切替えるラッチングリレー４０と、ラッチングリレー４０を制御するリレー制御信号ＲｅｌａｙＭ，ＲｅｌａｙＢを生成する制御部５２と、リレー制御信号の入力に応じてリレー駆動信号Ｓｄを生成し、該リレー駆動信号Ｓｄによってラッチングリレーを駆動するリレー駆動回路６０と、制御部５２およびリレー駆動回路６０に接続される場合に、制御部５２およびリレー駆動回６０に電力を供給するバッテリＢａと、バッテリＢａと、制御部５２およびリレー駆動回路６０との接続状態を切替えるスイッチＳＷ１とを備える。【選択図】図２
2014158388.tif 000002
【特許請求の範囲】
【請求項１】
交流電源からの交流電圧を所定の直流電圧に変換し、前記直流電圧を出力するスイッチング電源と、
交流入力ライン上において前記スイッチング電源の前段に設けられ、リレー駆動信号の入力に応じて前記スイッチング電源の前記交流電源への接続状態を切替えるラッチングリレーと、
前記ラッチングリレーを制御するリレー制御信号を生成する制御部と、
前記リレー制御信号の入力に応じて前記リレー駆動信号を生成し、該リレー駆動信号によって前記ラッチングリレーを駆動するリレー駆動回路と、
前記制御部および前記リレー駆動回路に接続される場合に、前記制御部および前記リレー駆動回路に電力を供給するバッテリと、
前記バッテリと、前記制御部および前記リレー駆動回路との接続状態を切替えるスイッチと、
を備える電源システム。
【請求項２】
請求項１に記載の電源システムにおいて、
前記スイッチング電源から電力を供給されることにより蓄電し、蓄電電圧を電源線に印加する蓄電回路を備え、
前記制御部は、前記スイッチング電源と前記交流電源とが未接続の状態である省電力モードと前記スイッチング電源と前記交流電源とが接続の状態である通常モードとのいずれかを設定するモード設定端子を有し、前記省電力モード中に前記蓄電回路から前記電源線を介して電力を供給され、
前記スイッチは、前記省電力モードあるいは前記通常モードを設定するモード設定スイッチを兼ね、
前記スイッチの一接点は前記バッテリに接続され、前記スイッチの他接点は前記モード設定端子に接続されるとともに、第１ダイオードを介して前記電源線に接続される、電源システム。
【請求項３】
請求項２に記載の電源システムにおいて、
通常モード中の前記蓄電回路の前記蓄電電圧は、前記バッテリのバッテリ電圧より所定値だけ高く設定されている、電源システム。
【請求項４】
請求項１から請求項３のいずれか一項に記載の電源システムにおいて、
前記交流電源のゼロクロス点に対応したゼロクロス検出用信号を生成する信号生成回路を備え、
前記制御部は、前記リレー制御信号を前記ゼロクロス検出用信号に応じて生成し、
前記リレー駆動回路は、前記ゼロクロス検出用信号に応じて前記ラッチングリレーを駆動する、電源システム。
【請求項５】
請求項１から請求項３のいずれか一項に記載の電源システムにおいて、
交流入力ライン上において、前記ラッチングリレーより前段に設けられるサーミスタを備える、電源システム。
【請求項６】
請求項５に記載の電源システムにおいて、
当該電源システムへの前記交流電源の供給の有無を検出する電源検出部を備え、
前記交流電源の供給の無しが検出された場合において、前記バッテリによって前記ラッチングリレーを駆動する際に、所定時間のサーミスタ冷却期間の後に、前記ラッチングリレーを駆動して、前記交流電源と前記スイッチング電源とを接続状態とする、電源システム。
【請求項７】
請求項６に記載の電源システムにおいて、
前記サーミスタ冷却期間は、前記蓄電電圧が前記ラッチングリレーの駆動を可能とする所定電圧まで低下する時間とされる、電源システム。
【請求項８】
請求項７に記載の電源システムにおいて、
前記スイッチング電源と前記交流電源とが未接続の状態である省電力モード時に前記交流電源の供給の無しが検出された場合と、前記スイッチング電源と前記交流電源とが接続の状態である通常モード時に前記交流電源の供給の無しが検出された場合とにおいて、前記所定電圧は異なる電圧値とされる、電源システム。
【請求項９】
請求項７または請求項８に記載の電源システムにおいて、
前記制御部は、前記蓄電電圧が前記所定電圧未満まで低下する以前に所定時間が経過した場合、前記交流電源の供給が有りと判断して、前記スイッチング電源と前記交流電源とを接続状態とするように前記ラッチングリレーを駆動する、電源システム。
【請求項１０】
請求項６から請求項９のいずれか一項に記載の電源システムにおいて、
前記スイッチング電源と前記交流電源とが接続の状態である通常モード時に前記交流電源の供給の無しが検出された場合、前記制御部は、即座に前記ラッチングリレーを駆動して、前記スイッチング電源と前記交流電源とを未接続の状態にする、電源システム。
【請求項１１】
請求項１から請求項１０のいずれか一項に記載の電源システムにおいて、
前記電源線上において、前記電源線と前記蓄電回路との接続点と、前記電源線と前記リレー駆動回路との接続点との間に設けられる第２ダイオードを備え、
前記第２ダイオードは、前記スイッチによって、前記バッテリと、前記制御部および前記リレー駆動回路とが接続状態とされる場合、前記バッテリから前記蓄電回路に流れる電流を阻止する向きに設けられる、電源システム。
【請求項１２】
請求項１から請求項１１のいずれか一項に記載の電源システムにおいて、
前記ラッチングリレーより前段において前記交流入力ラインに接続され、前記省電力モード中に所定の電力を供給する小容量電源回路を備え、
前記小容量電源回路は、
第１電極および第２電極を有し、当該第１電極が前記交流電源の一端に接続される第１コンデンサと、
第１電極および第２電極を有し、当該第１電極が前記交流電源の他端に接続される第２コンデンサと、
前記第１コンデンサの前記第２電極と前記第２コンデンサの前記第２電極との間に電気的に接続され、両コンデンサに印加される交流電圧を整流する整流回路と、
前記整流回路の後段に接続され、前記交流電圧を平滑する平滑コンデンサとを含み、
前記蓄電回路は、前記平滑コンデンサによって構成され、前記スイッチング電源と前記交流電源とが未接続の状態である省電力モード中は前記小容量電源回路から電力を供給される、電源システム。
【請求項１３】
請求項１から請求項１２のいずれか一項に記載の電源システムと、
前記スイッチング電源から供給される前記直流電圧を利用して画像を形成する画像形成部と、を備えた画像形成装置。
【発明の詳細な説明】
【技術分野】
【０００１】
本発明は、電源システム、同電源システムを備えた画像形成装置に関し、詳しくは、電源システムの省電力化を図る技術に関する。
【背景技術】
【０００２】
従来、電源システムの省電力化を図る技術として、例えば、特許文献１に記載されたものが知られている。その従来技術文献においては、スタンバイ中、主電源制御部がスイッチング電源の出力トランスを発振停止させ、この主電源制御部への電力供給を二次電池が行うことにより、省電力化を図った技術が開示されている。
【先行技術文献】
【特許文献】
【０００３】
【特許文献１】特開平７−０８７７３４号公報
【発明の概要】
【発明が解決しようとする課題】
【０００４】
しかしながら、上記従来技術文献のようにスイッチング電源の発振を停止しても、出力トランスの一次側に設けられる平滑電解コンデンサ等でリーク電流が流れる虞があった。リーク電流が流れる場合、それによって不要な電力が消費されることとなる。
本発明は、電源についてより省電力化を図る技術を提供するものである。
【課題を解決するための手段】
【０００５】
本明細書によって開示される電源システムは、交流電源からの交流電圧を所定の直流電圧に変換し、前記直流電圧を出力するスイッチング電源と、交流入力ライン上において前記スイッチング電源の前段に設けられ、リレー駆動信号の入力に応じて前記スイッチング電源の前記交流電源への接続状態を切替えるラッチングリレーと、前記ラッチングリレーを制御するリレー制御信号を生成する制御部と、前記リレー制御信号の入力に応じて前記リレー駆動信号を生成し、該リレー駆動信号によって前記ラッチングリレーを駆動するリレー駆動回路と、前記制御部および前記リレー駆動回路に接続される場合に、前記制御部および前記リレー駆動回路に電力を供給するバッテリと、前記バッテリと、前記制御部および前記リレー駆動回路との接続状態を切替えるスイッチとを備える。
本構成によれば、ラッチングリレーによって、例えば、省電力モード中はスイッチング電源と交流電源とを未接続の状態とすることができるため、スイッチング電源において電流が漏れるのを抑制でき、省電力化を図れる。また、交流電源からの電力が供給されない場合であっても、スイッチによってバッテリと、制御部およびリレー駆動回路とを接続することによって、ラッチングリレーを駆動することができる。それによって、仮に、スイッチング電源と交流電源とが未接続の状態で電源がオフされた場合であっても、次回、電源がオンされた場合にスイッチング電源と交流電源とを接続状態にできる。
【０００６】
上記電源システムにおいて、前記スイッチング電源から電力を供給されることにより蓄電し、蓄電電圧を電源線に印加する蓄電回路を備え、前記制御部は、前記スイッチング電源と前記交流電源とが未接続の状態である省電力モードと前記スイッチング電源と前記交流電源とが接続の状態である通常モードとのいずれかを設定するモード設定端子を有し、前記省電力モード中に前記蓄電回路から前記電源線を介して電力を供給され、前記スイッチは、前記省電力モードあるいは前記通常モードを設定するモード設定スイッチを兼ね、前記スイッチの一接点は前記バッテリに接続され、前記スイッチの他接点は前記モード設定端子に接続されるとともに、第１ダイオードを介して前記電源線に接続されるようにしてもよい。
本構成によれば、モード設定用スイッチとバッテリ接続用スイッチとを共用できる。
【０００７】
また、上記電源システムにおいて、通常モード中の前記蓄電回路の前記蓄電電圧は、前記バッテリのバッテリ電圧より所定値だけ高く設定されているようにしてもよい。
本構成によれば、通常モード中にスイッチが押されても、バッテリから第１タイオードを介して電源線に電流が流れない。すなわち、バッテリから不要に流れる電流を無くすことができ、バッテリの低容量化が可能となる。それによって、バッテリの小型化・低コスト化が可能となる。
【０００８】
また、上記電源システムにおいて、前記交流電源のゼロクロス点に対応したゼロクロス検出用信号を生成する信号生成回路を備え、前記制御部は、前記リレー制御信号を前記ゼロクロス検出用信号に応じて生成し、前記リレー駆動回路は、前記ゼロクロス検出用信号に応じて前記ラッチングリレーを駆動するようにしてもよい。
通常、交流電源のゼロクロス点近傍では、交流電圧あるいは交流電圧はほぼゼロに近い。そのため、本構成によれば、ゼロクロス点に対応して、例えば、スイッチ押下でバッテリの電力でラッチングリレーを駆動することによって、交流電源をスイッチング電源に接続する際に、スイッチング電源に流れる突入電流を抑制できる。
【０００９】
また、上記電源システムにおいて、交流入力ライン上において、前記ラッチングリレーより前段に設けられるサーミスタを備えるようにしてもよい。
サーミスタは、抵抗に関して、温度が高くなるほぼ抵抗が小さくなるという負の温度特性を有している。そのため、本構成によれば、スイッチ押下でバッテリの電力でラッチングリレーを駆動し、交流電源をスイッチング電源に接続する際において、サーミスタの温度が低い場合、スイッチング電源に流れる突入電流を抑制できる。
【００１０】
また、上記電源システムにおいて、当該電源システムへの前記交流電源の供給の有無を検出する電源検出部を備え、前記交流電源の供給の無しが検出された場合において、前記バッテリによって前記ラッチングリレーを駆動する際に、所定時間のサーミスタ冷却期間の後に、前記ラッチングリレーを駆動して、前記交流電源と前記スイッチング電源とを接続状態とするようにしてもよい。
本構成によれば、交流電源の供給のオン・オフ（有無）が連続してなされる場合においても、スイッチング電源への突入電流を軽減できる。
【００１１】
また、上記電源システムにおいて、前記サーミスタ冷却期間は、前記蓄電電圧が前記ラッチングリレーの駆動を可能とする所定電圧まで低下する時間とされるようにしてもよい。
本構成によれば、バッテリの電力に代えて蓄電回路の電力によってラッチングリレーを駆動できる。
【００１２】
また、上記電源システムにおいて、前記スイッチング電源と前記交流電源とが未接続の状態である省電力モード時に前記交流電源の供給の無しが検出された場合と、前記スイッチング電源と前記交流電源とが接続の状態である通常モード時に前記交流電源の供給の無しが検出された場合とにおいて、前記所定電圧は異なる電圧値とされるようにしてもよい
この場合、オフモード時に電源オフされた場合と、通常モード時に電源オフされた場合とでは、サーミスタ温度が異なる。すなわち、通常モード時に電源オフされた場合の方が、オフモード時に電源オフされた場合よりも、サーミスタ温度が高い。そのため、所定電圧を異ならせることによって、各場合に対応したサーミスタ冷却期間とすることができる。
【００１３】
また、上記電源システムにおいて、前記制御部は、前記蓄電電圧が前記所定電圧未満まで低下する以前に所定時間が経過した場合、前記交流電源の供給が有りと判断して、前記スイッチング電源と前記交流電源とを接続状態とするように前記ラッチングリレーを駆動するようにしてもよい。
本構成によれば、通常モード時に電源オフされ、短時間後に電源オンされた場合でも、確実に突入電流を軽減できる。
【００１４】
また、上記電源システムにおいて、前記スイッチング電源と前記交流電源とが接続の状態である通常モード時に前記交流電源の供給の無しが検出された場合、前記制御部は、即座に前記ラッチングリレーを駆動して、前記スイッチング電源と前記交流電源とを未接続の状態にするようにしてもよい。
本構成によれば、サーミスタ冷却期間をできるだけ長くすることができ、通常モード時に電源オフされた場合でも、確実に突入電流を軽減できる。
【００１５】
また、上記電源システムにおいて、前記電源線上において、前記電源線と前記蓄電回路との接続点と、前記電源線と前記リレー駆動回路との接続点との間に設けられる第２ダイオードを備え、前記第２ダイオードは、前記スイッチによって、前記バッテリと、前記制御部および前記リレー駆動回路とが接続状態とされる場合、前記バッテリから前記蓄電回路に流れる電流を阻止する向きに設けられるようにしてもよい。
本構成によれば、蓄電回路の蓄電電圧がバッテリ電圧より低下した際にスイッチが押された場合、第２ダイオードによってバッテリから蓄電回路に流れる電流が阻止される。そのため、さらに、バッテリの低容量化が可能となる。
【００１６】
また、上記電源システムにおいて、前記ラッチングリレーより前段において前記交流入力ラインに接続され、前記省電力モード中に所定の電力を供給する小容量電源回路を備え、前記小容量電源回路は、第１電極および第２電極を有し、当該第１電極が前記交流電源の一端に接続される第１コンデンサと、第１電極および第２電極を有し、当該第１電極が前記交流電源の他端に接続される第２コンデンサと、前記第１コンデンサの前記第２電極と前記第２コンデンサの前記第２電極との間に電気的に接続され、両コンデンサに印加される交流電圧を整流する整流回路と、前記整流回路の後段に接続され、前記交流電圧を平滑する平滑コンデンサとを含み、前記蓄電回路は、前記平滑コンデンサによって構成され、前記スイッチング電源と前記交流電源とが未接続の状態である省電力モード中は前記小容量電源回路から電力を供給されるようにしてもよい。
本構成によれば、省電力モード中の電力を簡易な構成の小容量電源回路によって生成できる。
【００１７】
また、本明細書によって開示される画像形成装置は、上記電源システムのうちのいずれか一つの電源システムと、前記スイッチング電源から供給される前記直流電圧を利用して画像を形成する画像形成部とを備える。
本構成によれば、画像形成装置において、電源システムの省電力化を図る事が出来ることによって、ひいては、スイッチング電源を使用しない画像形成装置の待機時の省電力化を図る事が出来る。
【発明の効果】
【００１８】
本発明によれば、ラッチングリレーを用いてスイッチング電源の不使用の省電力モード時はスイッチング電源への交流電力の供給を完全にオフすることでリーク電流を抑制できる。さらに、リレー駆動用のバッテリが設けられるため、例えば、電源オン時に、スイッチング電源と交流電源とが未接続状態である場合、バッテリの電力を利用してラッチングリレーをオン状態とし、スイッチング電源と交流電源とを接続状態とすることができる。それによって、電源オン時にスイッチング電源の立ち上げを迅速化できる。
【図面の簡単な説明】
【００１９】
【図１】実施形態１に係る画像形成装置の概略的な構成を示すブロック図
【図２】実施形態１に係る電源システムの概略的な構成を示すブロック図
【図３】実施形態１に係るリレー制御処理を概略的に示すフローチャート
【図４】実施形態１に係るリレー制御処理を概略的に示すタイムチャート
【図５】実施形態２に係る電源システムの概略的な構成を示すブロック図
【図６】実施形態２に係るリレー制御処理を概略的に示すフローチャート
【図７】実施形態３に係る電源システムの概略的な構成を示すブロック図
【図８】実施形態３に係るリレー制御処理を概略的に示すフローチャート
【発明を実施するための形態】
【００２０】
＜実施形態１＞
実施形態１について図１から図４を参照して説明する。
【００２１】
１．プリンタの説明
図１は、画像形成装置の一例であるプリンタ１の電気的構成を示すブロック図である。プリンタ１は、印刷部２、通信部３ａ、画像メモリ３ｂ、操作パネル４および電源システム１００を含む。電源システム１００は、電源部１０と制御装置５０を含む。電源部１０はプリンタ１の電源となるものであり、印刷部２、通信部３ａ、画像メモリ３ｂおよび制御装置５０に対して電力を供給する。
【００２２】
印刷部２は、感光ドラム２ａ、感光ドラム２ａの表面を帯電させる帯電プロセスを実行する帯電器２ｂ、感光ドラム２ａの表面に静電潜像を形成する露光プロセスを実行する露光装置２ｃ、感光ドラム２ａの表面に形成された静電潜像に現像剤を付着させて現像剤像を形成する現像プロセスを実行する現像器２ｄ、記録媒体に現像剤像を転写する転写プロセスを実行する転写器２ｅ、記録媒体上に転写された現像剤像を定着させる定着プロセスを実行する定着器２ｆ等から構成されている。
【００２３】
印刷部２は、帯電プロセス、露光プロセス、現像プロセス、転写プロセス、定着プロセスを実行して、記録媒体上に印刷データに基づく画像を印刷する印刷処理を実行する。通信部３ａは、ＰＣ等の情報端末装置との間で通信を行うものであり、情報端末装置から印刷指示や印刷データを受信する機能を担う。画像メモリ３ｂは、情報端末装置から受信した印刷データを一時記憶する。
【００２４】
操作パネル４は、電源スイッチ４ａおよびモード設定スイッチ（スイッチの一例）ＳＷ１を含む複数の操作ボタン、および液晶パネル等の表示部４ｂを含む。ユーザによる操作パネル４の操作によって、コピー指令等のプリンタ１に対する動作指令がなされる。
【００２５】
プリンタ１は、通信部３ａが情報端末装置から印刷指示を受けて印刷データを受信すると、制御装置５０が、印刷部２に帯電プロセス、露光プロセス、現像プロセス、転写プロセス、定着プロセスからなる印刷処理を実行させることで、記録媒体に印刷データに基づく画像を印刷させる。なお、印刷部２の動作電圧は主に２４Ｖであるのに対して、通信部３ａ、画像メモリ３ｂおよび制御装置５０の動作電圧は、５Ｖおよび３．３Ｖである。
【００２６】
なお、プリンタ１は、動作モードとして通常モードとオフモード（省電力モードの一例）とを有する。通常モードとは、プリンタ１が印刷指示に応答して即座に印刷処理を実行できる状態、あるいは、印刷処理を実行している状態にあるモードである。そのため、通常モードにおいては、電源システム１００は動作しており、定着器２ｆは定着可能な温度或いは定着可能な温度よりやや低い温度に維持されるように通電制御されている。また、オフモードとは、印刷指示が所定時間なくプリンタ１が待機状態にあるモードである。オフモードでは、電源システム１００は、その一部しか動作しておらず、定着器２ｆは通電されていない状態となっている。なお、本実施形態では、電源システム１００の通常モードおよびオフモードは、プリンタ１の通常モードおよびオフモードに対応する。
【００２７】
なお、オフモードは、いわゆるスリープモードよりも省電力化されたモードであり、スリープモードでは通信部３ａに電力が供給されるのに対し、オフモードでは、通信部３ａには電力が供給されず外部とのデータ通信はできない。
【００２８】
２．電源システムの構成
次に図２を参照して電源システム１００の構成について説明する。上述したように、電源システム１００は、電源部１０と制御装置５０とを含む。まず、電源部１０の構成について説明する。電源部１０は、スイッチング電源２０、小容量電源回路３０、ラッチングリレー４０、およびリレー駆動回路６０、バッテリＢａ、およびモード設定スイッチＳＷ１を含む。
【００２９】
ラッチングリレー４０は、交流入力ラインＬｉｎ上に設けられ、リレー駆動回路６０からのリレー駆動信号Ｓｄの入力に応じて、スイッチング電源２０の交流電源ＡＣへの接続状態を切替える。ラッチングリレー４０は、例えば、可動切片４１、接点４２、および可動切片４１を駆動するリレーコイル４３を含む。可動切片４１は、例えば、交流入力ラインＬｉｎを介して交流電源ＡＣに接続される。一方、接点４２は、交流入力ラインＬｉｎを介してスイッチング電源２０に接続される。
【００３０】
ラッチングリレー４０は、いわゆる自己保持型のリレーであり、リレーコイル４３が励磁される毎に、可動切片４１と接点４２の接続状態が切替わる。可動切片４１と接点４２の接続状態が切替わった後は、リレーコイル４３の励磁を遮断しても、次にリレーコイル４３が励磁されるまで、ラッチングリレー４０にその状態が保持される。
【００３１】
以下、リレーコイル４３の励磁によって、可動切片４１と接点４２が接続状態とされ、スイッチング電源２０と交流電源ＡＣとが接続状態とされることを、ラッチングリレー（以下、単に「リレー」と記す）４０がオンされる、あるいはオン状態とされると言う。一方、リレーコイル４３の励磁によって、可動切片４１と接点４２が非接続状態とされ、スイッチング電源２０と交流電源ＡＣとが非接続状態とされることを、リレー４０がオフされる、あるいはオフ状態とされると言う。
【００３２】
図２はリレー４０がオン状態にある場合が示される。リレー４０がオン状態にある場合において、プリンタ１の電源スイッチ４ａがオンされた場合、あるいはプリンタ１の電源プラグ５が電源コンセントに差し込まれた場合、交流電源ＡＣとスイッチング電源２０とが接続状態とされて、スイッチング電源２０に交流電力が供給される。本実施形態では、プリンタ１の電源オン時に電源スリレー４０がオフ状態とされており、プリンタ１の電源オンと同時にはスイッチング電源２０に交流電力が供給されない。
【００３３】
スイッチング電源２０は、整流平滑回路２１、制御ＩＣ２２、電圧発生回路２３、トランス２４、ＦＥＴ（電界効果トランジスタ）Ｑ１、整流平滑回路２５、電圧検出回路２６、およびＤＣ−ＤＣコンバータ２７、２８を含む。スイッチング電源２０は、リレー４０を介して交流入力ラインＬｉｎに接続される。
【００３４】
スイッチング電源２０は、交流電源ＡＣの交流電圧Ｖａｃを整流平滑化し、通常モードにおいて＋２４Ｖ、＋５Ｖおよび＋３．３Ｖの直流電圧を生成する。＋２４Ｖの直流電圧（以下「ＤＣ２４Ｖ」と記す）は第１出力端子ＯＵＴ１から出力され、＋５Ｖの直流電圧（以下「ＤＣ５Ｖ」と記す）は第２出力端子ＯＵＴ２から出力され、＋３．３Ｖの直流電圧（以下「ＤＣ３．３Ｖ」と記す）は第３出力端子ＯＵＴ３から出力される。
【００３５】
整流平滑回路２１は、いわゆるコンデンサインプット型であり、交流電源ＡＣの交流電圧Ｖａｃ（例えば、２４０Ｖ）を整流するブリッジダイオードおよび整流後の電圧を平滑化する平滑コンデンサを含む。整流平滑回路２１の出力は、トランス２４の一次コイルに印加される。
【００３６】
トランジスタＱ１はＮチャンネルのＭＯＳＦＥＴであり、制御ＩＣ２２の出力ポートＯＵＴからゲートにオン・オフ信号（ＰＷＭ信号）が与えられることにより、オン・オフ動作する。これにより、トランス２４の一次側が発振して、トランス２４の二次コイルに電圧を誘起させる。
【００３７】
また、トランス２４の一次側には電圧発生回路２３が設けられている。電圧発生回路２３は、トランス２４の一次側に設けられた補助コイルに誘起される電圧を整流平滑化して、制御ＩＣ２２用の電源電圧Ｖｃｃを生成する。
【００３８】
また、整流平滑回路２５はトランス２４の二次コイルに誘起された電圧を整流平滑化してＤＣ２４Ｖを生成する。
【００３９】
電圧検出回路２６は、フォトカプラＰＣ１を含み、スイッチング電源２０のＤＣ２４Ｖ出力の検出レベルに応じて、フォトカプラＰＣ１の発光ダイオードＬＥＤ１を発光させる。フォトカプラＰＣ１は、制御ＩＣ２２のフィードバックポートＦＢに接続されたフォトトランジスタＰＴ１を含む。そのため、発光ダイオードＬＥＤ１の光信号はフォトトランジスタＰＴ１にて電気信号に戻され、ＤＣ２４Ｖ出力の検出値が制御ＩＣ２２のフィードバックポートＦＢにフィードバックされる。
【００４０】
ＤＣ−ＤＣコンバータ２７は、ＤＣ２４ＶをＤＣ５Ｖに変換して出力し、ＤＣ−ＤＣコンバータ２８は、ＤＣ２４ＶをＤＣ３．３Ｖに変換して出力する。
【００４１】
制御ＩＣ２２は、出力モードにおいては、トランス２４の一次側を発振させて、各ＤＣ電圧を生成し、出力停止モードにおいては、リレー４０がオフされることによって電力供給が停止され、動作を停止する。そのため、出力停止モードにおいては、スイッチング電源２０からＤＣ電圧は出力されない。なお、プリンタ１のオフモードから通常モードへの復帰時には、リレー４０がオンされ制御ＩＣ２２への電力供給が再開され、トランス２４の一次側の発振が開始される。それによって、各ＤＣ電圧がスイッチング電源２０から出力される。ここで、プリンタ１のオフモードおよび通常モードは、スイッチング電源２０の出力停止モードおよび出力モードに対応する。なお、入力ポートＶＨには、スイッチング電源２０の始動時に電源電圧が供給される。
【００４２】
次に、電源システム１００の制御装置（制御部の一例）５０の構成について説明する。制御装置５０は、ＡＳＩＣ（特定用途向けＩＣ）５１、モード制御ＩＣ（制御部の一例）５２を含む。
【００４３】
ＡＳＩＣ５１は、通常モード中に、スイッチング電源２０のＤＣ−ＤＣコンバータ２８からＤＣ３．３Ｖを受け取り動作状態となり、主にプリンタ１の印刷部２を制御する。一方、スイッチング電源２０が出力停止モード、すなわち、オフモードに移行すると、ＡＳＩＣ５１は、スイッチング電源２０からの電力供給が断たれ、停止状態になる。
【００４４】
モード制御ＩＣ５２は、小容量電源回路３０の出力線である電源ラインＬ１に接続され、平滑蓄電コンデンサＣ３から、電源ラインＬ１を介して電源ＶＤＤとしてＤＣ５．６Ｖを受け取る。すなわち、モード制御ＩＣ５２は、通常モードおよびオフモードにおいて小容量電源回路３０から電力供給される。
【００４５】
また、モード制御ＩＣ５２は、ポートＰ２（モード設定端子の一例）を介して操作パネル４に設けられたモード設定スイッチＳＷ１に接続され、ユーザの操作によってモード設定スイッチＳＷ１がオフされた場合、例えば、モードを通常モードからオフモードに切替える。一方、ユーザの操作によってモード設定スイッチＳＷ１がオンされた場合、例えば、モードをオフモードから通常モードに切替える。
【００４６】
また、モード制御ＩＣ５２は、ポートＰ３を介して電源ラインＬ１に接続され、電源ライン（電源線の一例）Ｌ１の電圧ＶＬ１、すなわち、平滑蓄電コンデンサＣ３の蓄電電圧ＶＣＨを監視する。さらに、モード制御ＩＣ５２は、リレー４０をオン状態とするためのリレー制御信号ＲｅｌａｙＭおよびリレー４０をオフ状態とするためのリレー制御信号ＲｅｌａｙＢを生成し、ポートＰ４およびポートＰ５を介して、それぞれをリレー駆動回路６０に出力する。
【００４７】
すなわち、モード制御ＩＣ５２は、オフモード中にスイッチング電源２０と交流電源ＡＣとを未接続状態とするリレー制御信号ＲｅｌａｙＢを生成し、リレー制御信号ＲｅｌａｙＢをリレー駆動回路６０に出力する。それによって、スイッチング電源２０の動作は停止し、オフモード中は、小容量電源回路３０のみによって、リレー駆動回路６０およびモード制御ＩＣ５２に電力が供給される。
【００４８】
一方、通常モード中にスイッチング電源２０と交流電源ＡＣとを接続状態とするリレー制御信号ＲｅｌａｙＭを生成し、リレー制御信号ＲｅｌａｙＭをリレー駆動回路６０に出力する。それによって、通常モード中は、スイッチング電源２０の動作が可能となる。
【００４９】
リレー駆動回路６０は、一巻線ラッチングリレーを駆動するための周知の回路であり、６個のトランジスタ６１〜６６、複数の保護ダイオード、および複数の保護抵抗等を含む。
【００５０】
リレー駆動回路６０がモード制御ＩＣ５２からリレー制御信号ＲｅｌａｙＭを受け取った場合、トランジスタ６１，６３，６６がオンし、電源ラインＬ１からのリレー駆動電流（リレー駆動信号の一例）Ｓｄが、図２に示すように、トランジスタ６３、リレーコイル４３、およびトランジスタ６６を介してグランドに流れ、それによってリレー４０がオンする。この場合、スイッチング電源２０と交流電源ＡＣとは接続状態となり、交流電力が供給されると、スイッチング電源２０が動作する通常モードとなる。
【００５１】
一方、モード制御ＩＣ５２からリレー制御信号ＲｅｌａｙＢを受け取った場合、トランジスタ６２，６４，６５がオンし、電源ラインＬ１からのリレー駆動電流が、トランジスタ６４、リレーコイル４３、およびトランジスタ６５を介してグランドに流れ、それによってリレーコイル４３が逆方向に励磁され、リレー４０がオフする。この場合、スイッチング電源２０と交流電源ＡＣとは未接続状態となり、スイッチング電源２０が動作を停止するオフモードとなる。
【００５２】
また、メモリ５６は、ＲＯＭおよびＲＡＭを含む。ＲＯＭには、制御装置５０が実行する各種プログラムが格納され、ＲＡＭにはプログラムが実行される際の各種データが格納される。
【００５３】
また、バッテリＢａの電圧は、ほぼ５Ｖである。また、本実施形態では、バッテリＢａは、充電可能なバッテリであり、ダイオードＤ８を介して、スイッチング電源２０の出力端子ＯＵＴ２に接続され、ＤＣ５Ｖに充電可能である。なお、バッテリＢａは、必ずしもダイオードＤ８を介してＤＣ５Ｖに接続される必要はない。すなわち、バッテリＢａは充電可能なバッテリである必要はなく、ダイオードＤ８等は省略されてもよい。
【００５４】
バッテリＢａは、モード設定スイッチＳＷ１の一接点に接続され、モード設定スイッチＳＷ１の他接点はモード制御ＩＣ５２のポートＰ２に接続されるとともに、ダイオードＤ１０（第１ダイオードの一例）を介して電源ラインＬ１に接続される。
【００５５】
すなわち、本実施形態では、モード設定スイッチＳＷ１は、バッテリＢａと、モード制御ＩＣ５２およびリレー駆動回路６０との接続状態を切替えるスイッチを兼ねる。そのため、ユーザによってモード設定スイッチＳＷ１がオンされてバッテリＢａがモード制御ＩＣ５２およびリレー駆動回路６０に接続される場合に、バッテリＢａは、モード制御ＩＣ５２およびリレー駆動回路６０に電力を供給する。
【００５６】
それによって、プリンタ１の電源オン時、例えば、電源プラグ５が電源コンセントに差し込まれた時に、リレー４０がオフ状態にあり、交流電源ＡＣからの電力が供給されない場合であっても、モード設定スイッチＳＷ１によってバッテリＢａと、モード制御ＩＣ５２およびリレー駆動回路６とを接続することによって、リレー４０を駆動してリレー４０をオン状態とすることができる。それによって、仮に、スイッチング電源２０と交流電源ＡＣとが未接続の状態で電源プラグ５が電源コンセントから抜かれてプリンタ１の電源がオフされた場合であっても、次回、電源がオンされた場合にスイッチング電源２０と交流電源ＡＣとを接続状態にできる。
また、一個のスイッチＳＷ１によってモード設定用スイッチとバッテリ接続用スイッチとを共用できる。
【００５７】
また、ダイオードＤ１１（第２ダイオードの一例）が、電源ラインＬ１上において、電源ラインＬ１と平滑蓄電コンデンサＣ３との接続点と、電源ラインＬ１とリレー駆動回路６０との接続点との間に設けられる。そして、ダイオードＤ１１は、モード設定スイッチＳＷ１によって、バッテリＢａと、制御部およびリレー駆動回路６０とが接続状態とされる場合、バッテリＢａから平滑蓄電コンデンサＣ３に流れる電流を阻止する向きに設けられる。すなわち、ダイオードＤ１１のアノードが平滑蓄電コンデンサＣ３に接続され、ダイオードＤ１１のカソードがリレー駆動回路６０に接続される。
【００５８】
これによって、平滑蓄電コンデンサＣ３の蓄電電圧ＶＣＨがバッテリ電圧ＶＢａより低下した際にモード設定スイッチＳＷ１が押された場合、ダイオードＤ１１によってバッテリＢａから平滑蓄電コンデンサＣ３に流れる電流が阻止される。そのため、さらに、バッテリＢａの低容量化が可能となる。なお、蓄電電圧ＶＣＨの設定値によって、ダイオードＤ１１は必ずしも必要でなく、省略されてもよい。
【００５９】
３．小容量電源回路の構成
次に、小容量電源回路３０について説明する。小容量電源回路３０は、オフモードおよび通常モードにおいて、モード制御ＩＣ５２およびリレー駆動回路６０に電力を供給する。通常モードにおいては、小容量電源回路３０は、交流電源ＡＣから直接、電力を供給したり、ダイオードＤ５を介してスイッチング電源２０のＤＣ５Ｖから電力を供給したりする。オフモードにおいては、小容量電源回路３０は、整流回路３１を介して平滑蓄電コンデンサＣ３から電力を供給する。
【００６０】
小容量電源回路３０は、第１コンデンサＣ１、第２コンデンサＣ２、整流回路３１および平滑回路３２を含む。
第１コンデンサＣ１は、第１電極Ｃ１ｐ１および第２電極Ｃ１ｐ２を有し、第１電極Ｃ１ｐ１が交流入力ラインＬｉｎを介して交流電源ＡＣの一端に接続され、第２電極Ｃ１ｐ２が整流回路３１に接続される。
【００６１】
第２コンデンサＣ２は、第１電極Ｃ２ｐ１および第２電極Ｃ２ｐ２を有し、第１電極Ｃ２ｐ１が交流電源ＡＣの他端に接続され、第２電極Ｃ２ｐ２が整流回路３１に接続される。
【００６２】
整流回路３１は、第１コンデンサＣ１の第２電極Ｃ１ｐ２と第２コンデンサＣ２の第２電極との間に電気的に接続され、両コンデンサＣ１、Ｃ２に印加される交流電圧Ｖａｃを整流する。本実施形態では、整流回路３１は、４個のダイオードＤ１，Ｄ２，Ｄ３，Ｄ４からなるブリッジ回路によって構成される。ダイオードＤ１およびダイオードＤ２のカソードは第１接続点Ｎｄ１において接続され、ダイオードＤ１のアノードは第１コンデンサＣ１の第２電極Ｃ１ｐ２に接続され、ダイオードＤ２のアノードは第２コンデンサＣ２の第２電極Ｃ２ｐ２に接続される。
【００６３】
また、ダイオードＤ３およびダイオードＤ４のアノードは第２接続点Ｎｄ２において接続され、ダイオードＤ３のカソードは第１コンデンサＣ１の第２電極Ｃ１ｐ２に接続され、ダイオードＤ４のカソードは第２コンデンサＣ２の第２電極Ｃ２ｐ２に接続される。第２接続点Ｎｄ２はグランドに接続される。なお、整流回路３１の構成は図２の構成に限られない。
【００６４】
平滑回路３２は、整流回路３１に電圧ラインＬ１を介して接続され、整流された交流電圧を平滑してライン電圧ＶＬ１を生成する。本実施形態では、平滑回路３２は、平滑蓄電コンデンサ（蓄電回路の一例）Ｃ３および、ツェナーダイオードＺＤ１を含む。本実施形態では、ツェナーダイオードＺＤ１のツェナー電圧は、例えば、６．２Ｖとされる。それによって、平滑蓄電コンデンサＣ３の蓄電電圧ＶＣＨ、すなわち、電源ラインＬ１の電圧ＶＬ１は、６．２Ｖとされる。
【００６５】
平滑蓄電コンデンサＣ３は、ダイオードＤ５を介してスイッチング電源２０の＋５Ｖの出力端（第２出力端子）ＯＵＴ２に電気的に接続される。また、平滑蓄電コンデンサＣ３は、ダイオードＤ６を介してスイッチング電源２０の＋２４Ｖの出力端（第１出力端子）ＯＵＴ１に電気的に接続される。そのため、スイッチング電源２０の起動直後等は、スイッチング電源２０のＤＣ５ＶおよびＤＣ２４Ｖによって平滑蓄電コンデンサＣ３の充電が可能となる。
【００６６】
ダイオードＤ５，Ｄ６は平滑蓄電コンデンサＣ３からＤＣ−ＤＣコンバータ２７側への逆流を防止するものである。また、ツェナーダイオードＺＤ１は、交流電源ＡＣの交流電圧Ｖａｃが上昇した場合に、電源ライン電圧ＶＬ１の上昇を抑制する。
【００６７】
なお、電圧ラインＬ１の電圧値ＶＬ１の設定によって、例えば、電圧値ＶＬ１が５．１Ｖに設定される場合、平滑蓄電コンデンサＣ３の、スイッチング電源２０の＋２４Ｖの出力端（第１出力端子）ＯＵＴ１への接続は省略されてもよい。その場合のツェナーダイオードＺＤ１のツェナー電圧は、例えば、５．１Ｖとされる。
【００６８】
４．リレー制御処理
次に、図３および図４を参照して、リレー４０の制御処理を説明する。リレー制御処理は、例えば、プリンタ１の電源プラグ５がコンセントに挿入され、電源がオンされると（図４の時刻ｔ０に相当）、所定のプログラムにしたがって、モード制御ＩＣ５２によって実行される。なお、本実施形態では、プリンタ１の電源オン時の動作モードとして通常モードに設定されている場合が示される。また、リレー４０は、プリンタ１の出荷時にオフ状態とされているものとする。なお、プリンタ１の電源のオン・オフは、電源プラグ５のコンセントへの抜き差しには限られず、電源スイッチ４ａによって行われるようにしてもよい。
【００６９】
モード制御ＩＣ５２は、電源プラグ５がコンセントから抜かれたことによって、あるいは停電等によって、プリンタ１の電源がオフされ、プリンタ１の電源のオフが検出されたか否かを判断する（ステップＳ１０５）。なお、図４では、時刻ｔ６に電源の瞬停が起きた場合、時刻ｔ９に電源がオフされた場合がそれぞれ示される。モード制御ＩＣ５２は、電源オフの判断を、例えば、ポートＰ３に入力される蓄電電圧ＶＣＨに基づいて判断する。電源がオフされると、平滑蓄電コンデンサＣ３への充電手段がなくなるため蓄電電圧ＶＣＨは低下する。そのため、蓄電電圧ＶＣＨの低下に基づいて電源のオフを検出できる。すなわち、本実施形態でのプリンタ１の電源オフの検出は、蓄電電圧ＶＣＨの監視によって行われる。なお、プリンタ１の電源オフの検出はこれに限られず、例えば、後述する、交流電源ＡＣのゼロクロス点の検出によって行われるようにしてもよい。
【００７０】
電源のオフが検出されたと判断する場合（ステップＳ１０５：ＹＥＳ）、リレー制御処理を終了する。一方、電源のオフが検出されたと判断されない場合（ステップＳ１０５：ＮＯ）、モード制御ＩＣ５２は、平滑蓄電コンデンサＣ３の蓄電電圧ＶＣＨが所定値Ｖｔｈ未満であるか否かを判断する（ステップＳ１１０）。ここで、蓄電電圧ＶＣＨの所定値Ｖｔｈは、リレー４０の駆動を保証できる平滑蓄電コンデンサＣ３の蓄電電力（電荷量）に対応した値として、事前に実験等によって決定されている。所定値Ｖｔｈは、本実施形態では、例えば、４Ｖとされる。
【００７１】
蓄電電圧ＶＣＨが所定値Ｖｔｈ未満でないと判定した場合、すなわち、蓄電電圧ＶＣＨが４Ｖ以上であると判定した場合、（ステップＳ１１０：ＮＯ）、平滑蓄電コンデンサＣ３の蓄電電力を利用してリレー４０をオンさせる（ステップＳ１３０）。具体的には、モード制御ＩＣ５２は、リレー制御信号ＲｅｌａｙＭを生成し、リレー制御信号ＲｅｌａｙＭをリレー駆動回路６０に出力する。リレー４０がオンされることによって、スイッチング電源２０が起動され、モードが通常モードとなる。この場合は、図４の時刻ｔ１,ｔ７に相当する。
【００７２】
ここで、時刻ｔ１は、電源オン時に平滑蓄電コンデンサＣ３が整流回路３１を介して徐々に充電され、蓄電電圧ＶＣＨが所定値Ｖｔｈ（４Ｖ）に達する時刻である。また、時刻ｔ７は、瞬停等により電源が一時オフした後、電源が復帰した時刻である。瞬停から復帰した場合は、蓄電電圧ＶＣＨの低下は少なく、図４には、蓄電電圧ＶＣＨが４Ｖ以上である場合が例示される。
【００７３】
一方、ステップＳ１１０において、蓄電電圧ＶＣＨが所定値Ｖｔｈ（４Ｖ）未満であると判定した場合（ステップＳ１１０：ＹＥＳ）、モード制御ＩＣ５２は、モード設定スイッチＳＷ１の押下をユーザに促す表示を表示部４ｂにさせる（ステップＳ１１５）。この場合は、図４の時刻ｔ０から時刻ｔ１の間、および時刻ｔ３から時刻ｔ４の間に相当する。ここで時刻ｔ０から時刻ｔ１の間は、平滑蓄電コンデンサＣ３の充電期間である。また、時刻ｔ３から時刻ｔ４の間は、オフモード中に何らかの原因で想定以上の電力が消費され、蓄電電圧ＶＣＨが所定値Ｖｔｈ未満に低下した場合を想定して例示したものである。
【００７４】
次いで、モード制御ＩＣ５２は、モード設定スイッチＳＷ１が押下されたか否かを、ポートＰ２に入力される信号に基づいて判断する（ステップＳ１２０）。モード設定スイッチＳＷ１が押下されていないと判断した場合（ステップＳ１２０：ＮＯ）、ステップＳ１０５の処理に戻る。一方、ユーザによって、モード設定スイッチＳＷ１が押下されたと判断した場合（ステップＳ１２０：ＹＥＳ）、バッテリＢａの電力を利用して、リレー４０をオンさせる（ステップＳ１２５）。リレー４０をオン状態とする場合、モード制御ＩＣ５２は、リレー制御信号ＲｅｌａｙＭを生成し、リレー制御信号ＲｅｌａｙＭをリレー駆動回路６０に出力する。リレー４０がオンされることによって、スイッチング電源２０が起動され、モードが通常モードとなる。
この場合は、図４の時刻ｔ０から時刻ｔ１の間のいずれかの時刻、および時刻ｔ４に相当する。時刻ｔ０から時刻ｔ１の間のいずれかの時刻に設定スイッチＳＷ１が押下された場合、時刻ｔ１より早く通常モードが設定され、スイッチング電源２０が起動されることとなる。すなわち、電源オン時においてバッテリＢａの電力を利用してリレー４０をオンさせることによって、電源オン時のスイッチング電源の立ち上げが迅速化される。
【００７５】
このように、本実施形態では、プリンタ１の電源がオンされた直後は、平滑蓄電コンデンサＣ３がリレー４０を駆動するために十分に充電されていないため、バッテリＢａの電力を利用してリレー４０をオンさせるために、モード設定スイッチＳＷ１の押下を促す表示がなされる。しかしながら、ユーザがモード設定スイッチＳＷ１を押下しなかった場合には、平滑蓄電コンデンサＣ３の蓄電電圧ＶＣＨが上昇し、平滑蓄電コンデンサＣ３の蓄電電力を利用してリレー４０をオンさせることができる。
【００７６】
次いで、モード制御ＩＣ５２は、モードが通常モードからオフモードに移行するか否かを判断する（ステップＳ１３５）。通常モードからオフモードに移行するか否かの判断は例えば、図４に示されるように、タイマ５５のカウント値に基づいて、パネル操作からの印刷指示（パネルＳＷ信号）による印刷の完了後、印刷データの受信やユーザによる印刷指示等の操作指示がなされずに所定時間Ｋ１が継続したかどうかによって判断される。通常モード中に図４に示すパネルＳＷ信号は、ユーザによる操作パネル４の操作に応じて生成される。あるいは、通常モードからオフモードに移行するか否かの判断は、ユーザによる操作パネル４の操作によってスイッチＳＷ１がオフされ、オフモードが選択されたかどうかを判断することによって行われる。
【００７７】
モードがオフモードに移行しないと判断した場合（ステップＳ１３５：ＮＯ）、ステップＳ１０５と同様に、プリンタ１の電源のオフが検出されたか否かを判断する（ステップＳ１４０）。プリンタ１の電源のオフが検出されない場合（ステップＳ１４０：ＮＯ）、ステップＳ１３５の処理に戻る。一方、プリンタ１の電源のオフが検出された場合（ステップＳ１４０：ＹＥＳ）、平滑蓄電コンデンサＣ３に充電された電力によってリレー４０をオフさせ（ステップＳ１４５）、本処理を終了する。この場合は、モード制御ＩＣ５２は、リレー制御信号ＲｅｌａｙＢを生成し、リレー制御信号ＲｅｌａｙＢをリレー駆動回路６０に出力する。このように、本実施形態では、通常モードにおいてプリンタ１の電源のオフが検出された場合、リレー４０がオフ状態とされ、その際に必要な電力は、平滑蓄電コンデンサＣ３から供給される。
【００７８】
一方、ステップＳ１３５において、図４の時刻ｔ２および時刻ｔ８において示されるように、所定時間Ｋ１が経過した場合、モード制御ＩＣ５２は、モードが通常モードからオフモードに移行すると判断し（ステップＳ１３５：ＹＥＳ）、リレー４０をオフ状態とする（ステップＳ１５０）。また、図４の時刻ｔ５において示されるように、ユーザによる操作パネル４の操作によってスイッチＳＷ１がオフされ、オフモードが選択された場合も、モード制御ＩＣ５２は、同様の処理を実行する。
【００７９】
オフモードに移行する際、モード制御ＩＣ５２は、スイッチング電源２０と交流電源ＡＣとを未接続状態とするリレー制御信号ＲｅｌａｙＢを生成し、リレー制御信号ＲｅｌａｙＢをリレー駆動回路６０に出力する。それによって、スイッチング電源２０の動作は停止し、オフモード中は、小容量電源回路３０のみによって、リレー駆動回路６０およびモード制御ＩＣ５２に電力が供給される。
【００８０】
なお、通常モードからオフモードに移行する際、その間に、オフモードよりは電力を消費する省電力期間であるスリープモード期間が設けられてもよい。その際、時間の計測によってオフモードに移行する場合は、スリープモード期間の計測後にオフモードに移行するようにすればよい。
【００８１】
次いで、モード制御ＩＣ５２は、通常モードへ移行するか否かを判断する（ステップＳ１５５）。この判断は、例えば、ユーザによるパネル操作からの印刷指示（パネルＳＷ信号）を受け取ったか否かによって行われる。通常モードへ移行すると判断した場合（ステップＳ１５５：ＹＥＳ）、ステップＳ１０５の処理に戻る。この場合は、図４の時刻ｔ４に相当し、時刻ｔ４直後にユーザによって、モード設定スイッチＳＷ１が押下されることによって、バッテリＢａの電力を利用して、リレー４０がオンされる（ステップＳ１２５）。それによって、モードが通常モードへ移行する。なお、時刻ｔ４に蓄電電圧ＶＣＨが所定値Ｖｔｈ（４Ｖ）未満に低下していない場合（ステップＳ１１０：ＮＯ）は、上記したように、平滑蓄電コンデンサＣ３の蓄電電力を利用して、リレー４０がオンされる（ステップＳ１３０）。
【００８２】
一方、通常モードへ移行しないと判断した場合（ステップＳ１５５：ＮＯ）、モード制御ＩＣ５２は、例えば、電源プラグ５がコンセントから抜かれてプリンタ１の電源がオフされたか否かを判断する（ステップＳ１６０）。ステップＳ１０５と同様に、この判断は、例えば、蓄電電圧ＶＣＨの監視に基づいて行われる。
【００８３】
プリンタ１の電源がオフされていないと判断した場合（ステップＳ１６０：ＮＯ）、ステップＳ１５５の処理に戻る。一方、プリンタ１の電源がオフされたと判断した場合（ステップＳ１６０：ＹＥＳ）、モード制御ＩＣ５２は、本制御処理を終了する。この場合は、図４の時刻ｔ９に相当する。
【００８４】
５．実施形態１の効果
上記したように、オブモード中はリレー４０によって、スイッチング電源２０と交流電源ＡＣが未接続状態とされる。そのため、スイッチング電源２０、特に、整流平滑回路２１の平滑コンデンサにおいて電流が漏れるのを抑制でき、省電力化を図れる。なお、小容量電源回路３０には交流電源ＡＣから常時、電力が供給されるが、その電力は、スイッチング電源２０の整流平滑回路２１および制御ＩＣ２２による消費電力と比べてかなり小さい。そのため、小容量電源回路３０による消費電力は、電源システム１００の省電力化に影響を及ぼすほどではない。
【００８５】
また、電源システム１００はバッテリＢａを備える。そのため、プリンタ１の電源オフ時にリレー４０がオフ状態とされる場合、平滑蓄電コンデンサＣ３の蓄電電圧ＶＣＨが低下しリレー４０を駆動できない場合であっても、バッテリＢａの電力によって、プリンタ１の電源オフ時にリレー４０を必ずオン状態にできる。
【００８６】
また、プリンタ１の電源オン時、例えば、電源プラグ５が電源コンセントに差し込まれた時に、リレー４０がオフ状態にあり、交流電源ＡＣからの電力がスイッチング電源２０に供給されない場合であっても、モード設定スイッチＳＷ１によってバッテリＢａと、モード制御ＩＣ５２およびリレー駆動回路６とを接続することによって、リレー４０を駆動してリレー４０をオン状態とすることができる。すなわち、仮に、スイッチング電源２０と交流電源ＡＣとが未接続の状態において電源プラグ５が電源コンセントから抜かれてプリンタ１の電源がオフされた場合であっても、次回、電源がオンされた場合にスイッチング電源２０と交流電源ＡＣとを接続状態にできる。
【００８７】
また、本実施形態では、モード設定スイッチＳＷ１は、バッテリＢａと、モード制御ＩＣ５２およびリレー駆動回路６０との接続状態を切替えるバッテリ接続用スイッチを兼ねる。言い換えれば、バッテリ接続用スイッチは、モード設定スイッチを兼ねる。そのため、一個のスイッチＳＷ１によってモード設定用スイッチとバッテリ接続用スイッチとを共用できる。
【００８８】
また、蓄電電圧ＶＣＨは６．２Ｖとされ、バッテリ電圧ＶＢａは５Ｖとされる。すなわち、通常モード中の平滑蓄電コンデンサＣ３の蓄電電圧ＶＣＨは、バッテリ電圧ＶＢａより所定電圧、ここでは１．２Ｖだけ高く設定されている。そのため、通常モード中にモードをオフモードに切替えるためにモード設定スイッチＳＷ１が押されても、バッテリＢａからタイオードＤ９，Ｄ１０を介して電源ラインＬ１に電流が流れない。すなわち、バッテリＢａから不要に流れる電流を無くすことができ、バッテリＢａの低容量化が可能となる。それによって、バッテリＢａの小型化・低コスト化が可能となる。
【００８９】
＜実施形態２＞
次に図５および図６を参照して、実施形態２を説明する。実施形態２では、リレー４０をオン状態とするタイミングの制御に関して実施形態１と異なる。すなわち、実施形態１ではリレー４０をオン状態とするタイミングに関して特に条件を設けなかったが、実施形態２では交流電源ＡＣのゼロクロス点に対応してリレー４０をオフ状態からオン状態に切替える。
【００９０】
そのため、実施形態２の電源システム１００は、例えば図５に示すような、交流電源ＡＣのゼロクロス点に対応したゼロクロス検出用信号Ｐｚｃを生成するゼロクロス検出用信号生成回路３４（信号生成回路の一例）を含む。ゼロクロス検出用信号生成回路３４は、平滑蓄電コンデンサＣ３に接続され、交流電源ＡＣに対応して平滑蓄電コンデンサＣ３を流れる電流に応じて、交流電源ＡＣのゼロクロス点に対応したパルス状のゼロクロス検出用信号Ｐｚｃを生成する。ゼロクロス検出用信号Ｐｚｃは、モード制御ＩＣ５２のポートＰ６に入力される。モード制御ＩＣ５２は、リレー４０をオン状態とするリレー制御信号ＲｅｌａｙＭをゼロクロス検出用信号Ｐｚｃに応じて生成する。
【００９１】
より詳細には、モード制御ＩＣ５２は、ゼロクロス検出用信号Ｐｚｃに基づいてゼロクロス点を検出する。そして、モード制御ＩＣ５２は、リレー４０をオン状態とする場合、ゼロクロス点の検出に基づいて、リレー４０の動作時間を考慮した所定のタイミングで、リレー制御信号ＲｅｌａｙＭを生成する。リレー駆動回路６０は、リレー制御信号ＲｅｌａｙＭに応じて、言い換えれば、ゼロクロス検出用信号Ｐｚｃに応じてリレー４０を駆動する。
【００９２】
また、モード制御ＩＣ５２は、交流電源ＡＣからの電源システム１００への電力供給が遮断された場合、ゼロクロス点は発生しないため、ゼロクロス点が検出されないことによって電力供給の遮断、すなわち、電源オフを検出する。なお、実施形態２では、プリンタ１の電源オン時に交流電源ＡＣとスイッチング電源２０とは接続状態にないため、図５に示すように、平滑蓄電コンデンサＣ３は、スイッチング電源２０の＋５Ｖの出力端（第２出力端子）ＯＵＴ２に接続されていない。
【００９３】
１．リレー制御処理
次に、図６を参照して、実施形態２におけるリレー４０の制御処理を説明する。なお、実施形態１と同一の処理には同一の処理符号を付し、説明を省略する。実施形態２におけるリレー制御処理は、実施形態１と同様に、例えば、プリンタ１の電源プラグ５がコンセントに挿入され、プリンタ１の電源がオンされると、所定のプログラムにしたがって、モード制御ＩＣ５２によって実行される。
【００９４】
すなわち、モード制御ＩＣ５２は、ステップＳ１１０において、蓄電電圧ＶＣＨが所定値Ｖｔｈ未満でないと判定した場合（ステップＳ１１０：ＮＯ）、実施形態２では、ゼロクロス検出用信号Ｐｚｃに基づいてゼロクロス点を検出し、ゼロクロス点に基づいて、リレー４０をオン状態とするリレーオンタイミングを設定する（ステップＳ２０５）。
【００９５】
リレーオンタイミングは、詳しくは、リレー制御信号ＲｅｌａｙＭによってリレー駆動回路６０が、リレーコイル４３の励磁を開始するタイミングである。通常、リレー４０の動作には所定の時間を要し、その時間において、交流電源ＡＣの波形は変化する。そのため、リレーオンタイミングは、リレーコイル４３の励磁による可動切片４１の動作時間を考慮して、所定のゼロクロス点のタイミングよりも所定時間、早いタイミングとされる。その所定時間は、電源オン時のサージ電流が所定値以下に低減された値となるように、予め実験等によって決定され、メモリ５６のＲＯＭ等に格納されている。
【００９６】
次いで、モード制御ＩＣ５２は、時刻がリレーオンタイミングか否かを、例えば、リレーオンタイミング以前の所定ゼロクロス点のタイミングからのタイマ５５の計測値に基づいて判断する（ステップＳ２１０）。時刻がリレーオンタイミングに達しない場合は（ステップＳ２１０：ＮＯ）待機し、時刻がリレーオンタイミングに達した場合（ステップＳ２１０：ＹＥＳ）、モード制御ＩＣ５２は、平滑蓄電コンデンサＣ３の蓄電電力を利用してリレー４０をオンさせる（ステップＳ１３０）。
【００９７】
なお、ここではバッテリ接続用スイッチをモード設定スイッチＳＷ１で兼ねる例を示したが、これに限られず、バッテリ接続用スイッチをモード制御ＩＣ５２によってオン・オフ制御される半導体スイッチとして構成してもよい。この場合、モード制御ＩＣ５２によって所定のタイミングで半導体スイッチをオンできるため、バッテリＢａの電力を利用してリレー４０を駆動する際にも、ステップＳ２０５およびＳ２１０の処理を実行するようにしてもよい。すなわち、交流電源ＡＣのゼロクロス点の検出に基づいてリレー４０のオンタイミングを設定し、オンタイミングにバッテリＢａの電力を利用してリレー４０をオンするようにしてもよい。これによって、バッテリＢａの電力を利用して交流電源ＡＣをスイッチング電源２０に接続する際にも、スイッチング電源２０に流れる突入電流を抑制できる。
【００９８】
２．実施形態２の効果
交流電源ＡＣのゼロクロス点近傍では、交流電圧あるいは交流電流はほぼゼロに近い。そのため、本実施形態では、ゼロクロス点に対応して、平滑蓄電コンデンサＣ３の蓄電電力を利用してリレー４０をオンさせる、あるいは、モード設定スイッチＳＷ１の押下でバッテリＢａの電力でリレー４０をオンさせる。それによって、交流電源ＡＣをスイッチング電源２０に接続する際に、スイッチング電源２０に流れる突入電流を抑制できる。その際、リレー４０の動作時間を考慮してリレー制御信号ＲｅｌａｙＭが生成されるため、より的確に突入電流を抑制できる。
【００９９】
＜実施形態３＞
次に図７および図８を参照して、実施形態３におけるリレー４０の制御処理を説明する。実施形態３のリレー制御処理は、リレー駆動用のバッテリＢａを備えた電源システムにおいて、リレー４０をオンする際に、実施形態２とは異なる方法でスイッチング電源２０に流れる突入電流を抑制するものである。
【０１００】
すなわち、実施形態３では、突入電流を抑制するために、図７に示されるように、交流入力ラインＬｉｎ上において、リレー４０より前段に、詳しくは、交流入力ラインＬｉｎ上において、小容量電源回路３０の接続点ＣＰ１とリレー４０との間にサーミスタ７０が設けられる。また、電源オン時のサーミスタ７０の温度は、ほぼ室温に等しいものとする。すなわち、図８に示す実施形態３のリレー制御処理は、コールドスタート時に開始される。
【０１０１】
実施形態３のリレー制御処理は、実施形態１，２と同様に、例えば、プリンタ１の電源プラグ５がコンセントに挿入され、プリンタ１の電源がオンされると、所定のプログラムにしたがって、モード制御ＩＣ５２によって実行される。なお、実施形態１，２とは異なり、実施形態３では、電源オン時にリレー４０はオン状態とされているものとする。また、実施形態１，２と同一の処理に関しては、実施形態１，２のステップ符号を示し、詳細な説明を省略する。
【０１０２】
１．リレー制御処理
リレー制御処理において、まず、実施形態１，２と同様に、モード制御ＩＣ５２は、電源プラグ５がコンセントから抜かれたことによって、あるいは停電等によって、プリンタ１の電源がオフされ、プリンタ１の電源のオフが検出されたか否かを判断する（ステップＳ３０５）。この判断は、例えば、蓄電電圧ＶＣＨの監視による。あるいは、ゼロクロス検出用信号生成回路３４のゼロクロス検出用信号Ｐｚｃに基づいて交流電源ＡＣのゼロクロス点を検出し、ゼロクロス点に基づいて行われる。
【０１０３】
電源のオフが検出されたと判断する場合（ステップＳ３０５：ＹＥＳ）、後述するステップＳ３６０以降の処理に移行する。一方、電源のオフが検出されたと判断されない場合（ステップＳ３０５：ＮＯ）、モード制御ＩＣ５２は、モードが通常モードからオフモードに移行するか否かを、実施形態１，２のステップＳ１３５と同様な方法で判断する（ステップＳ３１０）。
【０１０４】
モードがオフモードに移行しないと判断した場合（ステップＳ３１０：ＮＯ）、ステップＳ３０５に戻り、一方、モードが通常モードからオフモードに移行すると判断した場合（ステップＳ３１０：ＹＥＳ）、リレー４０をオフ状態とする（ステップＳ３１５）。
【０１０５】
次いで、モード制御ＩＣ５２は、通常モードへ移行するか否かを、ステップＳ１５５と同様な方法で判断する（ステップＳ３２０）。通常モードへ移行すると判断した場合（ステップＳ３２０：ＹＥＳ）、後述するステップＳ３７５の処理に移行する。一方、通常モードへ移行しないと判断した場合（ステップＳ３２０：ＮＯ）、モード制御ＩＣ５２は、再び、プリンタ１の電源オフが検出されたか否かを判断する（ステップＳ３２５）。
【０１０６】
プリンタ１の電源オフが検出されていないと判断した場合（ステップＳ３２５：ＮＯ）、ステップＳ３２０の処理に戻る。一方、プリンタ１の電源オフが検出されたと判断した場合（ステップＳ３２０：ＹＥＳ）、モード制御ＩＣ５２は、ステップＳ１１０と同様に、平滑蓄電コンデンサＣ３の蓄電電圧ＶＣＨが所定値Ｖｔｈ未満であるか否かを判断する（ステップＳ３３０）。ここで、所定値Ｖｔｈは、本実施形態１，２と同等に、例えば、４Ｖとされる。
【０１０７】
蓄電電圧ＶＣＨが所定値Ｖｔｈ未満でないと判定した場合、すなわち、蓄電電圧ＶＣＨが４Ｖ以上であると判定した場合、（ステップＳ３３０：ＮＯ）、ステップＳ１１０での判断と同様に、平滑蓄電コンデンサＣ３の蓄電電力を利用してリレー４０をオンさせ（ステップＳ３５０）、本制御処理を終了する。すなわち、オフモード時にプリンタ１の電源がオフされた際に、蓄電電力を利用してリレー４０がオン状態とされる。
【０１０８】
一方、ステップＳ３３０において、蓄電電圧ＶＣＨが所定値Ｖｔｈ（４Ｖ）未満であると判定した場合（ステップＳ３３０：ＹＥＳ）、ステップＳ１１０での判断と同様に、モード制御ＩＣ５２は、モード設定スイッチＳＷ１の押下をユーザに促す表示を表示部４ｂにさせる（ステップＳ３３５）。
【０１０９】
次いで、モード制御ＩＣ５２は、モード設定スイッチＳＷ１が押下されたか否かを、ポートＰ２に入力される信号に基づいて判断する（ステップＳ３４０）。モード設定スイッチＳＷ１が押下されていないと判断した場合（ステップＳ３４０：ＮＯ）、ステップＳ３３０の処理に戻る。一方、ユーザによって、モード設定スイッチＳＷ１が押下されたと判断した場合（ステップＳ３３０：ＹＥＳ）、ステップＳ１２０での判断と同様に、バッテリＢａの電力を利用して、リレー４０をオンさせ（ステップＳ３４５）、本制御処理を終了する。すなわち、オフモード時にプリンタ１の電源がオフされた際に、バッテリＢａの電力を利用してリレー４０がオン状態とされる。
【０１１０】
一方、ステップＳ３０５において、電源オフが検出されたと判断する場合（ステップＳ３０５：ＹＥＳ）、モード制御ＩＣ５２は、即座に、すなわち、電源オフの検出と同時にリレー４０をオフ状態とする（ステップＳ３６０）。なお、この場合、電源オフの検出と同時にリレー４０をオフ状態とするために、バッテリＢａの電力を利用するようにしてもよい。また、ここで、電源オフが検出されたと判断する場合、即座に、すなわち、電源オフの検出と同時にリレー４０をオフ状態とすることに限られない。例えば、蓄電電圧ＶＣＨの値に応じて、リレー４０をオフ状態とするタイミングを決定するようにしてもよい。次いで、モード制御ＩＣ５２は、平滑蓄電コンデンサＣ３の蓄電電圧ＶＣＨが所定電圧ＶＣＤ（所定電圧の一例）未満であるか否かを判断する（ステップＳ３６５）。ここで、所定電圧ＶＣＤは、サーミスタ７０が所定温度まで冷却されたことを確実に検出できる平滑蓄電コンデンサＣ３の蓄電電圧ＶＣＨの値として、事前に実験等によって決定されている。所定電圧ＶＣＤは、本実施形態では、例えば、４．５Ｖとされる。本実施形態では、リレー４０の駆動を保証する蓄電電圧ＶＣＨは４．０Ｖ（Ｖｔｈ）とされるため、所定電圧ＶＣＤである４．５Ｖの蓄電電圧ＶＣＨによって、リレー４０の駆動は可能である。
【０１１１】
すなわち、本実施形態では、電源オフ時からのサーミスタ冷却期間は、蓄電電圧ＶＣＨがリレー４０の駆動を可能とする所定電圧ＶＣＤ（４．５Ｖ）まで低下する時間とされる。電源オフ時において、蓄電電圧ＶＣＨは、通常、回路時定数にしたがった放電特性にしたがって、電源オフ時からの時間経過に伴って徐々に低下する。そのため、蓄電電圧ＶＣＨの値によって、電源オフ時からの経過時間、すなわち、本実施形態でのサーミスタ冷却期間を推定できる。
【０１１２】
蓄電電圧ＶＣＨが所定電圧ＶＣＤ（４．５Ｖ）未満であると判断した場合（ステップＳ３６５：ＹＥＳ）、サーミスタ７０が所定温度まで冷却されたとして、ステップＳ３３０に移行する。一方、蓄電電圧ＶＣＨが所定電圧ＶＣＤ（４．５Ｖ）未満でないと判断した場合（ステップＳ３６５：ＮＯ）、電源オフ時からの所定時間Ｋ２（所定時間の一例）が経過したか否かを判断する（ステップＳ３７０）。ここで、所定時間Ｋ２は、電源オフ時に蓄電電圧ＶＣＨが回路時定数にしたがって所定電圧ＶＣＤに低下する時間、すなわち、サーミスタ冷却期間より長い時間とされる。例えば、所定時間Ｋ２は、サーミスタ冷却期間の１．５倍の時間とされる。
【０１１３】
所定時間Ｋ２が経過していないと判断した場合（ステップＳ３７０：ＮＯ）、ステップＳ３６５に戻る。一方、所定時間Ｋ２が経過したと判断した場合（ステップＳ３７０：ＹＥＳ）、モード制御ＩＣ５２は、所定時間Ｋ２が経過しても蓄電電圧ＶＣＨが所定電圧ＶＣＤに低下しないのは、電源がオンされたからと判断する。
【０１１４】
すなわち、所定電圧ＶＣＤに対応したサーミスタ冷却期間より長い時間とされる所定時間Ｋ２が経過しても、回路時定数にしたがう放電によって蓄電電圧ＶＣＨが所定電圧ＶＣＤに低下しないのは、電源がオンされたから、と推定できる。次いで、モード制御ＩＣ５２は、ステップＳ３３０と同様に、平滑蓄電コンデンサＣ３の蓄電電圧ＶＣＨが所定値Ｖｔｈ（４Ｖ）未満であるか否かを判断する（ステップＳ３７５）。
【０１１５】
蓄電電圧ＶＣＨが所定値Ｖｔｈ未満でないと判定した場合、すなわち、蓄電電圧ＶＣＨが４Ｖ以上であると判定した場合、（ステップＳ３７５：ＮＯ）、ステップＳ１１０での判断と同様に、平滑蓄電コンデンサＣ３の蓄電電力を利用してリレー４０をオンさせ（ステップＳ３９５）、ステップＳ３０５に戻る。リレー４０がオンされることによって、スイッチング電源２０が起動され、モードが通常モードとなる。
【０１１６】
一方、蓄電電圧ＶＣＨが所定値Ｖｔｈ（４Ｖ）未満であると判定した場合（ステップＳ３７５：ＹＥＳ）、ステップＳ１１０での判断と同様に、モード制御ＩＣ５２は、モード設定スイッチＳＷ１の押下をユーザに促す表示を表示部４ｂにさせる（ステップＳ３８０）。
【０１１７】
次いで、モード制御ＩＣ５２は、モード設定スイッチＳＷ１が押下されたか否かを、ポートＰ２に入力される信号に基づいて判断する（ステップＳ３８５）。モード設定スイッチＳＷ１が押下されていないと判断した場合（ステップＳ３８５：ＮＯ）、ステップＳ３７５の処理に戻る。一方、ユーザによって、モード設定スイッチＳＷ１が押下されたと判断した場合（ステップＳ３８５：ＹＥＳ）、ステップＳ１２０での判断と同様に、バッテリＢａの電力を利用して、リレー４０をオンさせ（ステップＳ３９０）、ステップＳ３０５に戻る。リレー４０がオンされることによって、スイッチング電源２０が起動され、モードが通常モードとなる。
【０１１８】
なお、ステップＳ３６５の判断処理に代えて、所定のサーミスタ冷却期間が経過したか否かの判断をするようにし、また、ステップＳ３７０の判断処理に代えて、電源オンを検出したか否かの判断をするようにしてもよい。電源オンの検出は、例えば、ゼロクロス検出用信号生成回路３４のゼロクロス検出用信号Ｐｚｃに基づいて交流電源ＡＣのゼロクロス点を検出し、ゼロクロス点に基づいて行われる。すなわち、プリンタ１の電源がオンされた場合、ゼロクロス点が検出される。
【０１１９】
２．実施形態３の効果
本実施形態では、交流入力ラインＬｉｎ上において、リレー４０より前段にサーミスタ７０が設けられる。サーミスタ７０は、抵抗に関して、温度が高くなるほど抵抗が小さくなるという負の温度特性を有している。そのため、例えば、モード設定スイッチスイッチＳＷ１の押下でバッテリＢａの電力でリレー４０を駆動し、交流電源ＡＣをスイッチング電源２０に接続する際において、コールドスタートの電源オン時等、サーミスタ７０の温度が低い場合、スイッチング電源２０、特に整流平滑回路２１の平滑コンデンサに流れる突入電流を抑制できる。
【０１２０】
また、交流電源ＡＣの供給の無し、すなわち、電源オフが検出された場合において、バッテリＢａあるいは平滑蓄電コンデンサＣ３によってリレー４０を駆動する際に、所定時間のサーミスタ冷却期間（ステップＳ３６５，Ｓ３７０：ＹＥＳ）の後において、リレー４０を駆動して交流電源ＡＣとスイッチング電源２０とを接続状態とする。そのため、交流電源ＡＣの供給のオン・オフ（有無）が連続してなされる場合においても、スイッチング電源２０への突入電流を軽減できる。
【０１２１】
また、モード制御ＩＣ５２は、蓄電電圧ＶＣＨが所定電圧ＶＣＤ未満まで低下する以前に、サーミスタ冷却期間より長い所定時間Ｋ２が経過した場合、交流電源ＡＣの供給が有りと判断して（ステップＳ３７０：ＹＥＳ）、スイッチング電源２０と交流電源ＡＣとを接続状態とするようにリレー４０を駆動する。そのため、通常モード時に電源オフされ（ステップＳ３０５：ＹＥＳ）、短時間後に電源オンされた場合（ステップＳ３７０：ＹＥＳ）でも、サーミスタ７０は所定温度まで冷却されているため、確実に突入電流を軽減できる。
【０１２２】
また、スイッチング電源２０と交流電源ＡＣとが接続の状態である通常モード時に交流電源ＡＣの供給の無しが検出された場合（ステップＳ３０５：ＹＥＳ）、モード制御ＩＣ５２は、即座にリレー４０を駆動して、スイッチング電源２０と交流電源ＡＣとを未接続の状態にする（ステップＳ３６０）。そのため、サーミスタ冷却期間をできるだけ長くすることができ、通常モード時に電源オフされた場合でも、サーミスタ冷却期間後に電源オンされる場合に確実に突入電流を軽減できる。
【０１２３】
また、サーミスタ冷却期間は、蓄電電圧ＶＣＨがリレー４０の駆動を可能とする所定電圧ＶＣＤまで低下する時間とされる。この場合、リレー４０をオンする際にバッテリＢａの電力に代えて平滑蓄電コンデンサＣ３の電力によってリレー４０を駆動できる（ステップＳ３９０参照）。
【０１２４】
なお、その際、スイッチング電源２０と交流電源ＡＣとが未接続の状態であるオフモード（省電力モード）時に交流電源ＡＣの供給の無し（電源オフ）が検出された場合と、スイッチング電源２０と交流電源ＡＣとが接続の状態である通常モード時に交流電源ＡＣの供給の無しが検出された場合とにおいて、所定電圧ＶＣＤ、あるいはサーミスタ冷却期間を異なる電圧値とするようにしてもよい。この場合、オフモード時に電源オフされた場合と、通常モード時に電源オフされた場合とでは、サーミスタ温度が異なる。すなわち、通常モード時に電源オフされた場合の方が、オフモード時に電源オフされた場合よりも、サーミスタ温度が高い。そのため、所定電圧ＶＣＤ、あるいはサーミスタ冷却期間を異ならせることによって、各場合に対応したサーミスタ冷却期間とすることができる。例えば、通常モード時に電源オフされた場合の方が、オフモード時に電源オフされた場合よりも、所定電圧ＶＣＤを低く設定するようにし、あるいはサーサーミスタ冷却期間を長く設定するようにする。
【０１２５】
＜他の実施形態＞
本発明は上記記述及び図面によって説明した実施形態に限定されるものではなく、例えば次のような実施形態も本発明の技術的範囲に含まれる。
【０１２６】
（１）上記各実施形態において、バッテリＢａと、モード制御ＩＣ５２およびリレー駆動回路６０との接続状態を切替えるバッテリ接続用スイッチ（スイッチの一例）と、省電力モードあるいは通常モードを設定するモード設定スイッチＳＷ１とを兼ねる例を示したが、これに限られない。モード設定スイッチＳＷ１とは個別のバッテリ接続用スイッチを設けるようにしてもよい。その際、バッテリ接続用スイッチは、ユーザ操作によるスイッチには限られず、例えば、モード制御ＩＣ５２によってオン・オフ制御される半導体スイッチとしてもよい。この場合、リレー４０の駆動の際に、ユーザのスイッチ操作によらずにバッテリＢａの電力利用が可能となる。
【０１２７】
（２）上記各実施形態においては、リレー４０をオン状態にする際に、バッテリＢａの電力を利用するか、平滑蓄電コンデンサＣ３による蓄電電力を利用するかの判断（ステップＳ１１０，Ｓ３３０，Ｓ３７５）を行う例、を示したが、これに限られない。リレー４０をオフ状態にする際にもそのような判断を実行し、その判断結果にしたがった処理（ステップＳ１１５，Ｓ１２０等）を実行するようにしてもよい。この場合、リレー４０をオフ状態にする際に平滑蓄電コンデンサＣ３の蓄電電圧ＶＣＨが所定電圧Ｖｔｈ未満に低下していた場合であっても、バッテリＢａの電力を利用してリレー４０をオフ状態にすることができる。
【０１２８】
（３）上記各実施形態においては、小容量電源回路３０を備え、蓄電回路が小容量電源回路３０に含まれる平滑蓄電コンデンサＣ３によって構成される例を示したがこれに限られない。小容量電源回路３０は省略されてもよい。その場合、蓄電回路は、スイッチング電源から電力を供給されることにより蓄電し、蓄電電圧を電源線に印加するものであればよく、例えば、単独の蓄電用コンデンサ、あるいは蓄電用コンデンサを含む回路によって構成されてもよい。
【０１２９】
（４）実施形態１，２において、プリンタ１の電源のオン時、リレー４０がオフ状態とされる例を示したが、必ずしもこれに限られない。プリンタ１の電源のオン時、リレー４０がオン状態とされる場合であっても、本発明を適用することができる。
【０１３０】
（５）上記実施形態において、本明細書によって開示される電源システム１００を画像形成装置に適用した例を示すが、これに限られない。電源システム１００は、通常モードと省電力モードとを有するあらゆる装置に適用できる。
【０１３１】
（６）上記実施形態においては、制御部を、モード制御ＩＣ５２によって構成する例を示したが、これに限られない。制御部は、例えば、モード制御ＩＣ５２の動作機能を含むＡＳＩＣ５１のみによって構成されてもよい。また、ＡＳＩＣと、他の複数の回路とによって構成されてもよいし、あるいは、ＣＰＵとその他の個別の回路とによって構成されてもよい。
【符号の説明】
【０１３２】
１…プリンタ、２０…スイッチング電源、３０…小容量電源回路、３１…整流回路、３４…ゼロクロス検出用回路、４０…ラッチングリレー、５２…モード制御ＩＣ、６０…リレー駆動回路、７０…サーミスタ、１００…電源システム、Ｃ１…第１コンデンサ、Ｃ２…第２コンデンサ、Ｃ３…平滑蓄電コンデンサ
【図１】
2014158388.tif 000003
【図２】
2014158388.tif 000004
【図３】
2014158388.tif 000005
【図４】
2014158388.tif 000006
【図５】
2014158388.tif 000007
【図６】
2014158388.tif 000008
【図７】
2014158388.tif 000009
【図８】
2014158388.tif 000010